(57)【特許請求の範囲】
【請求項１】
ロックが設定されたデータに対する閲覧要求に引き続いて入力される認証要求情報とロック解除用の認証情報との比較結果に基づいて、前記データをロック解除状態にするロック一時制御手段と、
１操作で、待ち受け画面から遷移して、登録されているデータを機能毎に一覧で一画面に表示すると共に、前記ロック解除状態となったデータを表示する表示情報を作成する表示情報作成手段とを備え、
前記ロック一時制御手段は、前記表示情報が表示された後、前記ロック解除状態のデータに再びロックを設定することを特徴とする
情報処理装置。
【請求項２】
前記表示情報作成手段は、ロックが設定されたデータが存在する場合、その旨を示すロック情報を前記表示情報に含めることを特徴とする請求の範囲第１項記載の情報処理装置。
【請求項３】
前記表示情報作成手段は、ロック解除状態となったデータの表示中は前記表示情報に前記ロック情報を含めないことを特徴とする請求の範囲第２項記載の情報処理装置。
【請求項４】
前記表示情報作成手段は、所定の入力に応答して前記表示を終了することを特徴とする請求の範囲第１項ないし第３項のいずれか１項記載の情報処理装置。
【請求項５】
前記表示情報作成手段は、所定期間操作がない場合に前記表示を終了することを特徴とする請求の範囲第１項ないし第４項のいずれか１項記載の情報処理装置。
【請求項６】
前記表示情報作成手段は、ロック解除状態となった前記データの要約を前記表示情報に含めることを特徴とする請求の範囲第１項ないし第５項のいずれか１項記載の情報処理装置。
【請求項７】
前記ロック解除用の認証情報は、ロックが設定された時に登録されたことを特徴とする請求の範囲第１項ないし第６項のいずれか１項記載の情報処理装置。
【請求項８】
ロックが設定されたデータに対する閲覧要求に引き続いて入力される認証要求情報とロック解除用の認証情報との比較結果に基づいて、ロック一時制御手段により、前記データをロック解除状態にし、
表示情報作成手段により、１操作で、待ち受け画面から遷移して、登録されているデータを機能毎に一覧で一画面に表示すると共に、前記ロック解除状態となったデータを表示するための表示情報を作成し、
前記表示情報が表示された後、前記ロック一時制御手段により、前記ロック解除状態のデータに再びロックを設定することを備えたことを特徴とするロック制御方法。
【請求項９】
ロックが設定されたデータが存在する場合、その旨を示すロック情報を前記表示情報に含めることを備えたことを特徴とする請求の範囲第８項記載のロック制御方法。
【請求項１０】
前記ロック解除状態となったデータの表示中は前記表示情報に前記ロック情報を含めないことを特徴とする請求の範囲第９項記載のロック制御方法。
【請求項１１】
所定の入力に応答して前記表示を終了することを備えたことを特徴とする請求の範囲第８項ないし第１０項のいずれか１項記載のロック制御方法。
【請求項１２】
所定期間操作がない場合に前記表示を終了することを備えたことを特徴とする請求の範囲第８項ないし第１１項のいずれか１項記載のロック制御方法。
【請求項１３】
前記ロック解除状態となった前記データの要約を前記表示情報に含めることを備えたこと特徴とする請求の範囲第８項ないし第１２項のいずれか１項記載のロック制御方法。
【請求項１４】
前記ロック解除用の認証情報は、ロックが設定された時に登録されたことを特徴とする請求の範囲第８項ないし第１３項のいずれか１項記載のロック制御方法。
【請求項１５】
ロックが設定されたデータに対する閲覧要求に引き続いて入力される認証要求情報とロック解除用の認証情報との比較結果に基づいて、前記データをロック解除状態にする処理と、
１操作で、待ち受け画面から遷移して、登録されているデータを機能毎に一覧で一画面に表示すると共に、前記ロック解除状態となったデータを表示するための表示情報を作成する処理と、
前記表示情報が表示された後、前記ロック解除状態のデータに再びロックを設定する処理とを、コンピュータに実行させることを特徴とするロック制御プログラム。
【請求項１６】
ロックが設定されたデータが存在する場合、その旨を示すロック情報を前記表示情報に含める処理を備えたことを特徴とする請求の範囲第１５項記載のロック制御プログラム。
【請求項１７】
前記ロック解除状態となったデータの表示中は前記表示情報に前記ロック情報を含めないことを特徴とする請求の範囲第１６項記載のロック制御プログラム。
【請求項１８】
所定の入力に応答して前記表示を終了する処理を備えたことを特徴とする請求の範囲第１５項ないし第１７項のいずれか１項記載のロック制御プログラム。
【請求項１９】
所定期間操作がない場合に前記表示を終了する処理を備えたことを特徴とする請求の範囲第１５項ないし第１８項のいずれか１項記載のロック制御プログラム。
【請求項２０】
前記ロック解除状態となった前記データの要約を前記表示情報に含める処理を備えたこと特徴とする請求の範囲第１５項ないし第１９項のいずれか１項記載のロック制御プログラム。
【請求項２１】
前記ロック解除用の認証情報は、ロックが設定された時に登録されたことを特徴とする請求の範囲第１５項ないし第２０項のいずれか１項記載のロック制御プログラム。
【発明の詳細な説明】
【技術分野】
【０００１】
本発明は、情報処理装置に関し、特にロック制御を行う情報処理装置、ロック制御方法、及びロック制御プログラムに関する。
【背景技術】
【０００２】
携帯電話等の携帯端末において、受信メールデータ、スケジュールデータ等、各種アプリケーションに保存されているユーザデータを、一画面に集約して概要を表示する情報表示アプリケーションがある。この情報表示アプリケーションにより、ユーザは一画面で多くのデータを確認できるという利点がある。情報表示アプリケーションには、例えば、電子メールデータ表示アプリケーション、電話帳表示アプリケーション、スケジュール表示アプリケーション等がある。一方、各種アプリケーションやユーザデータの中に１項目でもセキュリティのためのロックが設定されている場合は、情報表示アプリケーションの起動を制限することによって、セキュリティ保護が行われている。
【０００３】
関連する技術として、特開２０００−１４８３３８号公報にデータ表示装置および移動携帯情報端末装置が開示されている。
【０００４】
この関連技術では、ユーザは他人に見られたくない情報だけを部分的にロックすることができる。すなわち、ユーザは１つの文字メッセージ中で、他人に見られたくない部分の閲覧のために暗証番号の入力を求め、入力された暗証番号が正しい暗証番号と一致しない場合はその情報を表示しないようにすることが可能である。
【０００５】
具体的には、データ表示装置は、ユーザから入力された他人に見られたくないメッセージを、下位層文として受け付ける。データ表示装置は、下位層コードとして暗証番号用の別コード（暗証番号用コードＢ）を用意する。そして、データ表示装置は、ユーザから入力される暗証番号と予め登録した暗証番号が一致しない場合は、そのコードに続く下位層文を画面に表示しない。
【０００６】
特開２００２−１４２０１０号公報に携帯電話端末が開示されている。この携帯電話端末は、ロックレベル別にユーザの使用可能な機能を設定する。具体的には、携帯電話端末は、ロック機能にレベルを設け、設定されたレベル毎に使用可能な機能を規定する。これにより、携帯電話端末は、ユーザの使用環境にあわせて、使用頻度の高い機能についてはロック状態であっても使用可能にする。
【０００７】
特開２００７−２７４２４０号公報に携帯端末が開示されている。この携帯端末は、ユーザの要望に応じてモード設定を行ない、紛失時に個人情報が漏洩しないようにする。具体的には、携帯端末は、電話番号毎に、通常モード時、ロックモード時、半ロックモード時の表示内容（項目）を設定する。例えば、“半ロックモード”のとき、携帯端末は、電話着信時に、電話番号に対応する半ロックモード時表示データを表示する。半ロックモード時表示データには、ニックネームやイニシャル等、携帯電話の持ち主本人のみがわかり他のユーザにはわからないようなデータが登録される。
【発明の開示】
【発明が解決しようとする課題】
【０００８】
上述したように、情報表示アプリケーションは、各種アプリケーションやユーザデータの中に１項目でもセキュリティのためのロックが設定されている場合は、起動を制限することによって、セキュリティ保護を行っている。このため、ユーザがロックが設定されているデータを閲覧したい場合は、別途ロック解除の操作を行う必要があるため、操作が煩雑となるという課題がある。
【０００９】
上記特開２０００−１４８３３８号公報に記載の技術は、文字メッセージ表示時に、表示させたくない文字を非表示にするものであり、情報表示アプリケーションにおいて、ユーザが煩雑な操作をすることなくロックされているデータを閲覧できるようにするものではない。
【００１０】
本発明は、上記課題に鑑みてなされたものであり、表示対象データの中にロックが設定されているデータが存在する場合、情報表示アプリケーション上で、ロックが設定されていないデータを表示するとともに、要求に応じてロックが設定されているデータも閲覧可能にする情報処理装置、ロック制御方法、及びロック制御プログラムを提供することにある。
【課題を解決するための手段】
【００１１】
本発明の第１の情報処理装置は、ロックが設定されたデータに対する閲覧要求に引き続いて入力される認証要求情報とロック解除用の認証情報との比較結果に基づいて、データをロック解除状態にするロック一時制御手段と、ロック解除状態となったデータを表示するための表示情報を作成する表示情報作成手段とを備え、ロック一時制御手段は、表示情報が表示された後、ロック解除状態のデータに再びロックを設定する。
【００１２】
本発明の第１のロック制御方法は、ロックが設定されたデータに対する閲覧要求に引き続いて入力される認証要求情報とロック解除用の認証情報との比較結果に基づいて、データをロック解除状態にし、ロック解除状態となったデータを表示するための表示情報を作成し、表示情報が表示された後、ロック解除状態のデータに再びロックを設定する。
【００１３】
本発明の第１のロック制御プログラムは、ロックが設定されたデータに対する閲覧要求に引き続いて入力される認証要求情報とロック解除用の認証情報との比較結果に基づいて、データをロック解除状態にする処理と、ロック解除状態となったデータを表示するための表示情報を作成する処理と、表示情報が表示された後、ロック解除状態のデータに再びロックを設定する処理とを、コンピュータに実行させる。
【発明の効果】
【００１４】
本発明によれば、ユーザは、情報表示アプリケーション上で、ロックが設定されていないデータと共に、要求に応じてロックが設定されているデータも閲覧可能になるという効果が得られる。
【図面の簡単な説明】
【００１５】
図１は、本発明の実施形態１に係る携帯端末の構成を示すブロック図である。
【００１６】
図２は、同携帯端末の情報表示アプリケーションによる表示画面の例を示す図である。
【００１７】
図３Ａは、ロックされているデータが無い場合の受信メールデータの表示例である。
【００１８】
図３Ｂは、ロックされているデータとロックされていないデータが存在する場合の受信メールデータの表示例である。
【００１９】
図３Ｃは、全てのデータがロックされている場合の受信メールデータの表示例である。
【００２０】
図４は、同携帯端末の情報表示アプリケーションの動作を示すフローチャートである。
【００２１】
図５は、同携帯端末の情報表示アプリケーションによるロック解除の動作を示すフローチャートである。
【００２２】
図６は、本発明の実施形態２に係る携帯端末の構成を示すブロック図である。
【００２３】
図７は、同携帯端末の情報表示アプリケーションによるロック解除の動作を示すフローチャートである。
【００２４】
図８は、本発明の実施形態３に係る情報処理装置の構成を示すブロック図である。
【符号の説明】
【００２５】
１１，１７  アンテナ
１２，２０  無線部
１３，３０  制御部
１４，５０  表示部
１５，６０  キー入力部
１６，４０  メモリ
２１  情報表示アプリケーション
２２  受信メールデータ
２３  スケジュールデータ
２４  よく使う機能情報
２５  ロックアイコン
３１  ロック制御部
３３  処理制御部
３４  表示情報作成部
３５  ロック一時制御部
４１  ユーザデータ
４２  ロック設定情報
１５，５０  キー入力部
【発明を実施するための形態】
【００２６】
実施形態１．
以下に、本発明の実施形態について添付図面を参照して説明する。
【００２７】
図１を参照すると、本発明の携帯端末１０は、アンテナ１１と、無線部１２と、制御部１３と、表示部１４と、キー入力部１５と、メモリ１６を備える。
【００２８】
アンテナ１１は、ネットワークと通信メッセージをやりとりする。無線部１２は、無線制御を行う。制御部１３は、携帯端末の動作を制御する。表示部１４は、情報表示アプリケーション等を表示する。キー入力部１５は、ユーザによる入力操作を受け付ける。メモリ１６は、ロック設定情報やユーザデータを保存する。
【００２９】
なお、本実施形態では、本発明の携帯端末の例として、携帯電話端末を想定している。そのため、アンテナ１１及び無線部１２は、無線通信を行うものとしている。但し、実際には、これらの例に限定されない。本発明の携帯端末は、必要に応じて、有線通信を実施可能にしても良い。この場合、有線通信を行うためのケーブルが、アンテナ１１に該当する。また、ケーブルを接続された通信用インターフェースが、無線部１２に該当する。
【００３０】
本発明の携帯端末の他の例として、（Ｐｅｒｓｏｎａｌ  Ｃｏｍｐｕｔｅｒ）、シンクライアント端末、ゲーム機、ＰＤＡ（Ｐｅｒｓｏｎａｌ  Ｄｉｇｉｔａｌ  Ａｓｓｉｓｔａｎｔｓ）、デジタルカメラ、デジタルガジェット（ｄｉｇｉｔａｌ  ｇａｄｇｅｔ）等が考えられる。また、本発明の携帯端末は、端末そのものに限らず、中継装置や周辺機器でも良い。また、本発明の携帯端末は、コンピュータに搭載される拡張ボードや仮想マシン（Ｖｉｒｔｕａｌ  Ｍａｃｈｉｎｅ（ＶＭ））環境でも良い。但し、実際には、これらの例に限定されない。
【００３１】
アンテナ１１及び無線部１２の例として、アンテナ等の無線通信装置の他、ＮＩＣ（Ｎｅｔｗｏｒｋ  Ｉｎｔｅｒｆａｃｅ  Ｃａｒｄ）等のネットワークアダプタ、接続口（コネクタ）等の通信ポート等が考えられる。また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、携帯電話網、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、３Ｇ（第３世代携帯電話）、専用線、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線等が考えられる。但し、実際には、これらの例に限定されない。
【００３２】
制御部１３の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置、又は同様の機能を有する半導体集積回路（Ｉｎｔｅｇｒａｔｅｄ  Ｃｉｒｃｕｉｔ（ＩＣ））等が考えられる。なお、制御部１３は、本発明における制御部１３としての機能をコンピュータに実行させるためのプログラムでも良い。但し、実際には、これらの例に限定されない。
【００３３】
表示部１４の例として、ＬＣＤ（Ｌｉｑｕｉｄ  Ｃｒｙｓｔａｌ  Ｄｉｓｐｌａｙ）やＰＤＰ（Plasma Display Panel）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置、又は、表示内容を壁やスクリーンに投影するプロジェクタ等の映写装置、表示内容を用紙等に印刷するプリンタ等の印刷装置が考えられる。或いは、表示部１４は、外部の表示装置に表示用の情報を提供して表示させるインターフェース（ｉｎｔｅｒｆａｃｅ（Ｉ／Ｆ））でも良い。すなわち、表示部１４は、何らかの出力装置であれば良い。例えば、表示部１４は、ユーザ操作中は操作画面を表示装置に表示し、ユーザ操作完了後は操作に基づく結果を他の出力装置に出力するようにすることも可能である。但し、実際には、これらの例に限定されない。
【００３４】
キー入力部１５の例として、キーボードやキーパッド、画面上のキーパッド、タッチパネル（ｔｏｕｃｈ  ｐａｎｅｌ）、タブレット（ｔａｂｌｅｔ）等が考えられる。或いは、キー入力部１５は、外部の入力装置や通信装置から情報を取得するインターフェース（Ｉ／Ｆ）でも良い。但し、実際には、これらの例に限定されない。
【００３５】
メモリ１６の例として、メモリ等の半導体記憶装置、ハードディスク等の外部記憶装置（ストレージ）、又は、記憶媒体（メディア）等が考えられる。なお、メモリ１６は、携帯端末に搭載されているものに限らず、携帯端末からアクセス可能な外付けの記憶装置や、ネットワーク上のサーバ等に搭載されていても良い。但し、実際には、これらの例に限定されない。
【００３６】
図２を参照して、情報表示アプリケーションの表示画面の例について説明する。
【００３７】
情報表示アプリケーション２１は、携帯端末の表示部１４に表示される。情報表示アプリケーション２１は、待受画面から１操作で表示することのできるアプリケーションである。制御部１３は、情報表示アプリケーション２１の起動に応じて、各種アプリケーションにて個々に登録されているユーザデータをメモリ１６から読み出し、１画面に機能毎に一覧で表示することができる。ここでは、機能とは、各種アプリケーションにより実現される機能を示す。ユーザデータの例として、図２に示すように、受信メールデータ２２や、スケジュールデータ２３、よく使う機能情報２４等が考えられる。受信メールデータ２２は、最近受信したメールデータを示す。ここでは、受信メールデータ２２は、受信したメールデータのうち、受信日時が新しいメールデータから順に、表示可能な数だけ表示される。スケジュールデータ２３は、近日のスケジュールデータを示す。ここでは、スケジュールデータ２３は、スケジュールデータのうち、予定日時が近いスケジュールデータから順に、表示可能な数だけ表示される。よく使う機能２４は、ユーザにより頻繁に使用された機能を示す。ここでは、よく使う機能２４は、使用回数の多い機能の順に、表示可能な数だけ表示される。但し、実際には、これらの例に限定されない。
【００３８】
本発明では、ロックの設定は、各種アプリケーションにおける個々のデータ毎に行われるものとする。例えば、制御部１３は、受信メールデータ２２の場合、個々のメールに対してロックの設定を行うことが可能である。このとき、ユーザは、キー入力部１５により、個々のデータを指定して、或いは、複数のデータを一括して、ロックの設定を行う。ここでは、ユーザは、ロック設定メニューより、ロックを設定したいデータを選択する。ユーザは、ロック設定時に、キー入力部１５より、端末暗証番号を入力する。この端末暗証番号は、情報表示アプリケーション２１で一時的にロックを解除する時と同じ番号であると好適である。
【００３９】
なお、制御部１３は、情報表示アプリケーション２１でのアプリケーション表示中に、データを確認するために一時的にロックを解除しているが、ロック設定を正式に解除する場合、ロック設定時と同様に、ユーザがロック設定メニューより解除操作を行う。
【００４０】
図３Ａ、図３Ｂ、図３Ｃを参照して、情報表示アプリケーションのロック中表示の例について説明する。
【００４１】
ここでは、情報表示アプリケーション２１が受信メールデータ２２を表示する場合を例に説明する。
【００４２】
図３Ａは、ロック対象無しの場合の表示例を示す。この場合、情報表示アプリケーション２１は、全てのデータを表示する。
【００４３】
図３Ｂは、ロック対象ありの場合の表示例を示す。この場合、情報表示アプリケーション２１は、ロックが設定されていないデータのみ表示し、ロックが設定されているデータが存在することを示すロックアイコン２５を表示する。ここでは、受信メールデータ２２の表示画面上に、ロックアイコン２５が表示される。すなわち、ロックアイコン２５は、機能毎に表示される。なお、ロックアイコン２５は、ロックの設定が行われたデータが１つでもあると表示される。但し、実際には、ロックアイコン２５は、１画面に１つでも良い。
【００４４】
図３Ｃは、全てロック対象の場合の表示例を示す。この場合、情報表示アプリケーション２１は、ロック中である旨を表示し、また、ロックが設定されているデータが存在することを示すロックアイコン２５を表示する。
【００４５】
図４を参照して、情報表示アプリケーション起動時の動作手順について説明する。
【００４６】
（１）ステップＳ４０１
ユーザは、表示部１４に待受画面が表示されている状態で、キー入力部１５において、情報表示アプリケーション２１を起動させるキーを押下する。制御部１３は、情報表示アプリケーション２１を起動させるキーが押下されたことを検出すると、情報表示アプリケーション２１を起動する。このとき、制御部１３は、情報表示アプリケーション２１を起動させるキーが押下された旨の通知を、キー入力部１５から受け取るようにしても良い。
【００４７】
（２）ステップＳ４０２
制御部１３は、情報表示アプリケーション２１を起動すると、メモリ１６から表示対象のユーザデータとロック設定の情報を読み出す。
【００４８】
（３）ステップＳ４０３
制御部１３は、表示対象データにロックが設定されているデータがあるか確認する。
【００４９】
（４）ステップＳ４０４
制御部１３は、ロックが設定されているデータが存在しない場合は、図３Ａのように、全てのデータを表示部１４に表示する。
【００５０】
（５）ステップＳ４０５
制御部１３は、ロックが設定されているデータが存在する場合は、図３Ｂのように、ロックが設定されていないデータのみ表示し、ロックが設定されているデータが存在することを示すロックアイコン２５を表示部１４に表示する。
【００５１】
（６）ステップＳ４０６
制御部１３は、表示対象の全てのデータにロックが設定されている場合は、図３Ｃのように、ロック中である旨を示す文字列や画像等を表示部１４に表示し、また、ロックが設定されているデータが存在することを示すロックアイコン２５を表示部１４に表示する。例えば、制御部１３は、ポップアップ等により、ロック中である旨を表示部１４に表示する。
【００５２】
図５を参照して、ロック解除の動作手順について説明する。
【００５３】
情報表示アプリケーション２１では、ロックが設定されているデータでも、情報表示アプリケーション２１上でロックを解除することで、ロックが設定されているデータを一時的に閲覧することが可能である。
【００５４】
（１）ステップＳ５０１
ユーザは、情報表示アプリケーション２１上の一覧にロックが設定されているデータが存在する場合、キー入力部１５を用いて、一覧に表示されているロックアイコン２５を選択する。制御部１３は、ロックアイコン２５が選択されたことを検出する。このとき、制御部１３は、ロックアイコン２５が選択された旨の通知を、キー入力部１５から受け取るようにしても良い。
【００５５】
（２）ステップＳ５０２
制御部１３は、ロック解除用の暗証番号入力画面を表示部１４に表示する。ユーザは、表示された暗証番号入力画面に対して、キー入力部１５により、暗証番号を入力する。制御部１３は、キー入力部１５から入力された暗証番号を受け取る。
【００５６】
（３）ステップＳ５０３
制御部１３は、入力された暗証番号がロック解除用の暗証番号と一致するか確認する。ロック解除用の暗証番号は、メモリ１６に格納されていると好適である。この場合、制御部１３は、メモリ１６に格納されたロック解除用の暗証番号を参照し、入力された暗証番号がロック解除用の暗証番号と一致するか確認する。或いは、制御部１３は、アンテナ１１及び無線部１２を介して、ネットワーク上のサーバ等に格納されたロック解除用の暗証番号を参照するようにしても良い。
【００５７】
（４）ステップＳ５０４
制御部１３は、入力された暗証番号がロック解除用の暗証番号と一致した場合、ロック解除状態となり、ロックが設定されていたデータも含め、図３Ａのように全てのデータを表示部１４に表示する。
【００５８】
（５）ステップＳ５０５
制御部１３は、入力された暗証番号がロック解除用の暗証番号と一致しない場合、ロックは解除せず、暗証番号不一致のためロックが解除できない旨を示す文字列や画像等を表示部１４に表示する。例えば、制御部１３は、ポップアップ等により、暗証番号不一致のためロックが解除できない旨を表示部１４に表示する。
【００５９】
ここでは、制御部１３は、入力された暗証番号とロック解除用の暗証番号との照合によりロック解除を行っているが、実際には、暗証番号の照合に限定されない。例えば、制御部１３は、指紋等による生体認証（バイオメトリクス認証）や、身分証明証等に埋め込まれたＩＣチップに記録された情報の照合により、ロック解除を行うことも考えられる。このとき、キー入力部１５は、生体認証情報やＩＣチップ等の読取装置（ｒｅａｄｅｒ）を含む。但し、実際には、これらの例に限定されない。
【００６０】
また、制御部１３は、図５のステップＳ５０４で「ロック解除後にデータを表示」しているが、このロック解除及びデータ表示は、情報表示アプリケーション２１が動作している間のみ継続する一時的な動作であるため、情報表示アプリケーション２１の動作を終了すると、ロック解除動作を終了し、再度、元のロック状態に戻す。
【００６１】
なお、情報表示アプリケーション２１の動作の終了は、情報表示アプリケーション２１をボタン操作で終了することの他に、一定時間、何も操作が無い場合に、制御部１３が強制的に情報表示アプリケーション２１を終了することも含まれる。例えば、制御部１３は、情報表示アプリケーション２１に対するユーザ操作又は設定に基づく処理命令が無い状態（待機状態）で、１５秒間が経過した場合、強制的に情報表示アプリケーション２１を終了する。
【００６２】
従って、ステップＳ５０４でのロック解除と全てのデータの表示は、情報表示アプリケーション２１の動作継続中だけの「一時的な」ものであり、そのロック解除は、正式なロック解除ではなく、いわば、「仮のロック解除」ということになる。正式なロック解除は、ステップＳ５０１でのロックアイコン２５の選択ではなく、例えば、メニュー表示から周知（従来技術）の手法で実施する。
【００６３】
ここでは、「ロック解除」と記載しているが、ロックを設定したままであっても、ロックが設定されているデータの内容が閲覧可能になるのであれば、実際にロックを解除しなくても良い。例えば、ロックが設定されているデータの要約版をロック設定前に予め作成し、通常は当該要約版を表示しないようにしておき、ロックアイコン２５が選択された場合のみ、当該要約版を表示するようにすることが考えられる。このように、実際にデータのロックが解除されていなくても、ロックが設定されているデータの内容の一部又は全部が閲覧可能になった状態を、本発明における「ロック解除状態」とみなすことができる。
【００６４】
上記の動作手順により、携帯端末の受信メールやスケジュール等、各種アプリケーションに保存されているユーザデータを１画面に集約して概要を表示する情報表示アプリケーション２１は、セキュリティ保護のため、以下のことが可能である。すなわち、情報表示アプリケーション２１は、表示対象データのロックの状態を判別し、ロックが設定されていないデータのみを表示することができる。また、情報表示アプリケーション２１は、ロックが設定されているデータが存在する場合、ロックアイコン２５を表示する。そして、情報表示アプリケーション２１がそれらのデータのロックを解除することにより、ユーザはロックが設定されているデータも一時的に閲覧することができるようになる。
【００６５】
また、制御部１３は、ロック解除状態とし、ロックが設定されていたデータを表示部１４に表示している間、ロックアイコン２５を表示部１４に表示しないようにしても良い。この場合、制御部１３は、ロックが設定されていたデータの表示を終了し、ロック状態に戻った際に、再びロックアイコン２５を表示部１４に表示する。
【００６６】
或いは、制御部１３は、ロック解除状態とし、ロックが設定されていたデータを表示部１４に表示している間に、表示部１４に表示されたロックアイコン２５が選択された場合、既にロックが設定されていたデータを表示している旨を、表示部１４に表示しても良い。例えば、制御部１３は、ポップアップ等により、既にロックが設定されていたデータを表示している旨を表示部１４に表示する。
【００６７】
制御部１３は、全てのデータに対してロックが正式に解除された場合、又は、ロックが設定されていたデータが全て削除された場合、ロックアイコン２５の表示を終了する。すなわち、制御部１３は、携帯端末上に、ロックが設定されていたデータが存在しなくなった場合、ロックアイコン２５を表示しない。
【００６８】
以上のように、本実施形態は、携帯端末の情報表示アプリケーションにおけるロック制御方法に関する。
【００６９】
本実施形態により、情報表示アプリケーションは、表示対象データのロックの設定状態を確認し、表示対象データにロックが設定されている場合、ロックが設定されていないデータのみ表示を行うことを特徴とする。また、本実施形態では、情報表示アプリケーション上でロックを解除することで、ロックが設定されているデータも一時的に閲覧可能とすることを特徴とする。すなわち、本実施形態では、複数のアプリケーションのユーザデータを１画面に集約して概要を表示する情報表示アプリケーション上で、ロックが設定されているデータを一時的に閲覧可能にすることを特徴とする。
【００７０】
本実施形態により、情報表示アプリケーションは、起動時に表示対象データのロック状態を確認し、ロックが設定されていないデータのみ表示することができる。
【００７１】
また、本実施形態により、表示対象データにロックが設定されているデータが存在する場合は、情報表示アプリケーション上にロック中データが存在する旨を伝えるアイコンを表示することができる。
【００７２】
また、本実施形態により、全てのデータにロックが設定されていて、表示できるデータが存在しない場合は、ロック中である旨を表示できる。
【００７３】
また、本実施形態により、ロックが設定されているデータが存在する場合、暗証番号の入力によりロックが設定されているデータを一時的に情報表示アプリケーションに表示できる。
【００７４】
なお、本実施形態は、表示対象データのロック制御の手法に特徴があるため、携帯端末に限らず、ディスプレイ等の表示装置や、プロジェクタ等の映写装置、或いは、プリンタ等の印刷装置に適用することも考えられる。
【００７５】
実施形態２．
以下に、本発明の実施形態２について添付図面を参照して説明する。
【００７６】
図６は、本発明の実施形態２に係る携帯端末１００の構成を示すブロック図である。図６に示すように、携帯端末１００は、アンテナ１７、無線部２０、制御部３０、メモリ４０、表示部５０およびキー入力部６０を備える。
【００７７】
アンテナ１７は、ネットワークと通信メッセージをやりとりする。無線部２０は、無線制御を行う。制御部３０は、携帯端末１００の動作を制御する。また、制御部３０は、ロック制御部３１と情報表示アプリケーション２１を含む。情報表示アプリケーション２１は、処理制御部３３、表示情報作成部３４およびロック一時制御部３５を含む。メモリ４０は、各種アプリケーションにより登録された受信メールデータ、スケジュールデータ等のユーザデータ４１やロック設定情報４２等を保存する。表示部５０は、情報表示アプリケーションを含む各種アプリケーション等を表示する。キー入力部６０は、ユーザによる入力操作を受け付ける。
【００７８】
次に、携帯端末１００の制御部３０の動作について説明する。
【００７９】
制御部３０は、上述したように、ロック制御部３１と情報表示アプリケーション２１を備える。
【００８０】
ロック制御部３１は、各種アプリケーションにより登録されたメモリ４０に保存されるユーザデータ４１に対して、セキュリティのためのロックの設定を制御する。ユーザデータ４１には、例えば受信メールデータ、スケジュールデータ、電話帳データ等がある。ロック制御部３１は、各種アプリケーションにおける個々のユーザデータ毎にロックを設定することができる。例えば、ロック制御部３１は、個々の受信メールデータに対してロックを設定することができる。
【００８１】
ロック制御部３１は、例えば以下の動作により、ユーザデータにロックを設定する。すなわち、ユーザから、キー入力部６０に対してロック設定の指示が入力されると、ロック制御部３１は、その指示に応答してメモリ４０からユーザデータを読み出すと共に、各ユーザデータに対するロック設定メニューを作成し、それを表示部５０に表示する。
【００８２】
ユーザは、ロック設定メニューを見て、ロックを設定したいデータをキー入力部６０を介して指定する。ユーザは、個々のデータを指定してもよいし、複数のデータを一括して指定してもよい。またこのときユーザは、端末暗証番号を入力する。
【００８３】
ロック制御部３１は、ユーザが指定したデータにロックを設定する。例えば、ロック制御部３１は、メモリ４０に保存される該当データにロック設定フラグを登録してもよいし、ロックが設定されたデータの一覧をメモリ４０に登録してもよい。また、ロック制御部３１は、ユーザから入力された端末暗証番号もメモリ４０に登録する。以上の動作により、ロック制御部３１はユーザデータに対してロックを設定する。ロックされたユーザデータは、通常は情報表示アプリケーション２１によって読み出されない。
【００８４】
また、ロック制御部３１は、ユーザからロック解除の指示を受けたときも同様に、ロック設定メニューをユーザに提示して、ロックを解除するデータを選択させると共に、端末暗証番号を入力させる。ロック制御部３１は、入力された端末暗証番号と、メモリ４０に登録されている端末暗証番号とが一致する場合、選択されたデータのロックを解除する。例えば、ロック制御部３１は、メモリ４０に保存される該当データのロック設定フラグを削除してもよいし、ロックが設定されたデータの一覧を削除してもよい。なお、端末暗証番号は、後述する情報表示アプリケーションによるロック解除処理において参照されてもよい。
【００８５】
次に、情報表示アプリケーション２１の概要について説明する。情報表示アプリケーション２１は、ユーザから起動指示を受けると、メモリ４０からユーザデータ４１を読み出して、表示部５０に表示する。情報表示アプリケーション２１は、ユーザの１操作により待受画面から遷移して表示部５０に表示される。
【００８６】
情報表示アプリケーション２１は、実施形態１で説明した図２に示すような表示画面を表示部５０に表示する。図２に示すように、情報表示アプリケーション２１は、電子メール機能、スケジュール機能などの機能毎に、一画面にユーザデータを一覧表示する。例えば、情報表示アプリケーション２１は、図２に示すように、受信メールデータ２２、スケジュールデータ２３、よく使う機能情報２４を表示する。
【００８７】
例えば、情報表示アプリケーション２１は、受信メールデータ２２として、携帯端末１００が最近受信したメールデータのうち、受信日時が新しいメールデータから順に、表示可能な数だけ表示してもよい。このとき、情報表示アプリケーション２１は、各メールデータの受信日付、受信時刻およびタイトルを表示してもよい。また、情報表示アプリケーション２１は、スケジュールデータ２３として、近日のスケジュールデータのうち、予定日時が近いスケジュールデータから順に、表示可能な数だけ表示してもよい。このとき、情報表示アプリケーション２１は、各スケジュールデータが含む日程、時間および概要を表示してもよい。また、情報表示アプリケーション２１は、ユーザの操作履歴に基づいて、よく使う機能を識別し、使用回数の多い機能の順に、表示可能な数だけよく使う機能情報２４として表示してもよい。但し、これらの例に限定されない。
【００８８】
次に、情報表示アプリケーション２１の詳細について説明する。
【００８９】
上述したように、情報表示アプリケーション２１は、処理制御部３３、表示情報作成部３４およびロック一時制御部３５を備える。処理制御部３３は、表示部５０、キー入力部６０とのデータのやり取りと、表示情報作成部３４とロック一時制御部３５の制御を行う。表示情報作成部３４は、表示部５０に表示する情報を作成する。ロック一時制御部３５は、ユーザデータ４１のロックの設定を制御する。
【００９０】
情報表示アプリケーション２１は、実施形態１と同様に、図４に示す手順により、ユーザデータを表示する。
【００９１】
ユーザは、表示部５０に待受画面が表示されている状態で、キー入力部６０の、情報表示アプリケーション２１を起動させるキーを押下する。制御部３０は、上記キーが押下されたことを検出すると、情報表示アプリケーション２１を起動する。このとき、制御部３０は、情報表示アプリケーション２１を起動させるキーが押下された旨の通知を、キー入力部６０から受け取るようにしてもよい。
【００９２】
情報表示アプリケーション２１が起動すると、処理制御部３３は表示情報作成部３４に対して、表示対象データの表示情報を作成する指示を出す。表示情報作成部３４は、上記指示に応答して、表示対象のユーザデータ４１とロック設定情報４２をメモリ４０から読み出す（ステップＳ４０２）。表示情報作成部３４は、読み出した表示対象データのうちロックが設定されているデータがあるか否かを確認する（ステップＳ４０３）。
【００９３】
ロックが設定されているデータが存在しない場合、表示情報作成部３４は、読み出した全データの表示情報を作成し、作成した表示情報を処理制御部３３に通知する。処理制御部３３は、受け取った表示情報を表示部５０に表示する（ステップＳ４０４）。処理制御部３３は、実施形態１と同様に、図３Ａに示すように、ロックが設定されているデータが無い場合の受信メールデータを表示する。
【００９４】
あるいは、ロックが設定されているデータとロックが設定されていないデータが存在する場合、表示情報作成部３４は、ロックが設定されていないデータの表示情報を作成し、作成した表示情報を処理制御部３３に通知する。このとき、表示情報作成部３４は、ロックアイコン２５も表示情報に含める。ロックアイコン２５とは、メモリ４０にロックが設定されているデータが存在することを示すアイコンであり、キー入力部６０を介してユーザにより選択可能である。処理制御部３３は、受け取った表示情報を表示部５０に表示する（ステップＳ４０５）。処理制御部３３は、実施形態１と同様に、図３Bに示すように、ロックが設定されているデータとロックが設定されていないデータが存在する場合の受信メールデータを表示する。図３Ｂのように、ロックアイコン２５は受信メールデータ２２の表示領域上に表示される。すなわち、ロックアイコン２５は機能毎に表示される。ただし、これに限定されず、１画面に１つだけ表示されても良い。
【００９５】
あるいは、表示対象の全てのデータにロックが設定されている場合、表示情報作成部３４は、ロック中である旨を示す文字列や画像等と、ロックアイコン２５とを含む表示情報を作成し、それを処理制御部３３に通知する。処理制御部３３は、受け取った表示情報を表示部５０に表示する（ステップＳ４０６）。ロックアイコン２５は、上記と同様に、キー入力部６０を介してユーザにより選択可能である。処理制御部３３は、実施形態１と同様に、図３Ｃに示すように、全てのデータにロックが設定されている場合の受信メールデータを表示する。処理制御部３３は、ポップアップ等により、ロック中である旨を表示部５０に表示してもよい。
【００９６】
上述したように、表示情報作成部３４は、表示対象データ中にロックが設定されたデータがある場合、その旨を示すロックアイコン２５とロックされていないデータとを含む表示情報を作成し、処理制御部３３がそれを表示部５０に表示する。これにより、ユーザは、ロックが設定されたデータが存在することを認識できる。そして、ユーザは、ロックが設定されたデータも閲覧したい場合、キー入力部６０を介してロックアイコン２５を選択する。情報表示アプリケーション２１は、ロックアイコン２５が選択されたことに応答して、以下の手順によりデータのロックを解除する。
【００９７】
図７は、情報表示アプリケーション２１によるロック解除の動作を示すフローチャートである。図７を参照して、情報表示アプリケーション２１によるロック解除の手順を説明する。
【００９８】
ユーザは、ロックが設定されたデータも閲覧したい場合、表示部５０に表示されたロックアイコン２５を、キー入力部６０を介して選択する（ステップＳ５０１）。情報表示アプリケーション２１の処理制御部３３は、ロックアイコン２５が選択されたことを認識すると、その旨を表示情報作成部３４に通知する。表示情報作成部３４は、上記通知に応答してロック解除用の暗証番号入力画面作成し、処理制御部３３に渡す。処理制御部３３は、ロック解除用の暗証番号入力画面を表示部５０に表示する。
【００９９】
ユーザは、表示された暗証番号入力画面に対して、キー入力部６０を介して暗証番号を入力する（ステップＳ５０２）。処理制御部３３は、入力された暗証番号を受け取り、ロック一時制御部３５に通知する。ロック一時制御部３５は、受け取った暗証番号とロック解除用の暗証番号とを比較する。すなわち、ロック一時制御部３５は、上述したようにロック制御部３１によってロック設定時にメモリ４０に登録されたロック設定情報４２と、受け取った暗証番号とを比較し、両者が一致するか否かを調べる（ステップＳ５０３）。あるいは、ロック一時制御部３５は、アンテナ１７及び無線部２０を介して、ネットワーク上のサーバ等に格納されたロック解除用の暗証番号を参照してもよい。
【０１００】
ロック一時制御部３５は、受け取った暗証番号とロック解除用の暗証番号とが一致した場合、表示対象のユーザデータのうちロックが設定されているデータを「ロック解除状態」にする。例えば、ロック一時制御部３５は、ロックが設定されているデータのロック設定フラグを削除してもよい。この場合、ロック一時制御部３５はロック設定フラグを削除したデータを記憶しておく。あるいは、ロック一時制御部３５は、該当データに「ロック一時解除フラグ」を登録してもよい。
【０１０１】
そして、ロック一時制御部３５は、該当データを「ロック解除状態」にした旨を処理制御部３３に通知する。処理制御部３３は、上記通知に応答して表示情報作成部３４に表示情報の作成を指示する。表示情報作成部３４は、ロック解除状態になったデータをメモリ４０から読み出して、ロックが設定されていないデータと併せて表示情報を作成し、処理制御部３３に通知する。処理制御部３３は、受け取った表示情報を表示部５０に表示する（ステップＳ５０４）。ここでは、図３Ａのようにすべての受信メールデータが表示される。
【０１０２】
ここで、ロック解除状態となったデータを表示部５０に表示している間にユーザからロックアイコンが選択されたとき、表示情報作成部３４は既にロックが設定されていたデータを表示している旨を、表示部５０に表示してもよい。例えば、表示情報作成部３４は、ポップアップ等により、既にロックが設定されていたデータを表示している旨を表示部５０に表示するようにしてもよい。あるいは、このとき、表示情報作成部３４はロックアイコン２５を表示部５０に表示しなくてもよい。この場合、表示情報作成部３４は、ロック解除状態となったデータの表示を終了し、ロック一時制御部３５により再びロックを設定されたときに、再びロックアイコン２５を表示部５０に表示するようにしてもよい。
【０１０３】
一方、ロック一時制御部３５は、受け取った暗証番号とロック解除用の暗証番号とが一致しない場合、ロックが設定されていたデータをロック解除状態にせず、暗証番号が不一致のためロックが解除できない旨を処理制御部３３に通知する。処理制御部３３は、上記旨を示す文字列や画像等を表示部５０に表示する。例えば、処理制御部３３は、ポップアップ等により、暗証番号不一致のためロックが解除できない旨を表示部５０に表示してもよい。
【０１０４】
ここで、ロック一時制御部３５は、入力された暗証番号とロック解除用の暗証番号との照合によりロック解除を行うことに限定されない。例えば、ロック一時制御部３５は、指紋等による生体認証（バイオメトリクス認証）や、身分証明証等に埋め込まれたＩＣチップに記録された情報の照合により、ロック解除を行うこともできる。このとき、キー入力部６０は、生体認証情報やＩＣチップ等の読取装置を含む。但し、これらの例に限定されない。
【０１０５】
次に、ユーザが、情報表示アプリケーション２１の終了指示をキー入力部６０に入力したとする（ステップＳ５０６）。処理制御部３３は、情報表示アプリケーション２１の終了指示を受けると、ロック一時制御部３５に対して「ロック解除状態」にしたデータに再度ロックを設定する指示を出す。ロック一時制御部３５は、上記指示に応答して該当データに再度ロックを設定する（ステップＳ５０７）。例えば、ロック一時制御部３５は、上述したようにロック設定フラグを削除したデータとして記憶したデータに対して、再度ロック設定フラグを登録してもよい。あるいは、ロック一時制御部３５は該当データのロック一時解除フラグを削除してもよい。上記動作により、該当データは再びロックが設定され、ユーザによる閲覧は不可となる。ロック一時制御部３５は、ロックの再設定を行ったことを処理制御部３３に通知する。処理制御部３３は、上記通知に応答して情報表示アプリケーション２１を終了する。
【０１０６】
ここで、情報表示アプリケーション２１の終了は、ユーザの指示によるほか、処理制御部３３が、一定期間操作がないことを検出した場合に強制的に情報表示アプリケーション２１を終了することも含まれる。例えば、処理制御部３３は、情報表示アプリケーション２１に対するユーザ操作または設定に基づく処理命令がない待機状態の期間を計測し、その期間が１５秒間を超えた場合に、強制的に情報表示アプリケーション２１を終了してもよい。
【０１０７】
このように、ステップＳ５０４におけるロック解除と全てのデータの表示は、情報表示アプリケーション２１の動作継続中だけの「一時的な」ものである。すなわち、ロック解除は、正式なロック解除ではなく、いわば「仮のロック解除」である。正式なロック解除は、ステップＳ５０１におけるロックアイコン２５の選択により実行されるものではなく、例えば、上述したようにロック制御部３１により、周知の技術により実行される。
【０１０８】
ここで、「ロック解除状態」とは、以下の状態も含まれる。すなわち、上述のようにロック制御部３１によりロックが設定される前に、各種アプリケーション３２が各データの要約版を作成してメモリ４０に保存しておく。ロック制御部３１によりロックが設定された場合は、該当データおよびその要約版は閲覧不可である。上述のようにロックアイコン２５が選択された場合、ロック一時制御部３５が要約版をメモリ４０から読み出して、表示情報作成部３４がそれを表示するように表示情報を作成してもよい。このように、実際にデータのロックが解除されていなくても、ロックが設定されているデータの内容の一部または全部が閲覧可能となった状態を、本実施形態における「ロック解除状態」とする。
【０１０９】
また、表示情報作成部３４は、全てのデータに対して、ロック制御部３１によりロックが正式に解除された場合、又は、ロックが設定されていたデータが全て削除された場合、ロックアイコン２５の表示を終了する。すなわち、表示情報作成部３４は、携帯端末１００上に、ロックが設定されたデータが存在しなくなった場合、ロックアイコン２５を表示しない。
【０１１０】
また、表示情報作成部３４がロック解除状態となったデータを表示部５０に表示している間にユーザからロックアイコンが選択されたとき、ロック一時制御部３５は、ロック解除状態にしたデータに再度ロックを設定してもよい。そして、表示情報作成部３４は、再度ロックが設定されたデータを表示しないようにしてもよい。
【０１１１】
以上のように、この実施形態２によれば、情報表示アプリケーション２１の表示情報作成部３４は、表示対象データのロックの状態を判別し、ロックが設定されていないデータのみを表示する。また、ロックが設定されているデータが存在する場合、表示情報作成部３４は、ロックが設定されていないデータを表示すると共に、ロックアイコン２５を表示する。ロックが設定されているデータの閲覧要求を受けると、ロック一時制御部３５は、暗証番号の入力を受け付け、入力された暗証番号とロック解除用の暗証番号と一致する場合は、該当データをロック解除状態にする。表示情報作成部３４は、ロックが設定されていないデータとロック解除状態となったデータとを含む表示情報を作成し、これを処理制御部３３が表示部５０に表示する。以上の構成により、ユーザは、ユーザデータのセキュリティを保つことができると共に、ロックが設定されているデータを煩雑な操作をすることなく閲覧することができるという効果が得られる。
【０１１２】
実施形態３．
図８は、本発明の実施形態３に係る情報処理装置７０の構成を示すブロック図である。図８に示すように、情報処理装置７０は、ロック一時制御部７１と表示情報作成部７２とを備える。
【０１１３】
ロック一時制御部７１は、ロックが設定されたデータに対する閲覧要求に引き続いて入力される認証要求情報とロック解除用の認証情報との比較結果に基づいて、データをロック解除状態にする。表示情報作成部７２は、ロック解除状態となったデータを表示するための表示情報を作成する。ロック一時制御部７１はまた、表示情報が表示された後、ロック解除状態のデータに再びロックを設定する。
【０１１４】
以上のように、この実施形態３によれば、ユーザは、情報表示アプリケーション上で、ロックが設定されていないデータと共に、要求に応じてロックが設定されているデータも閲覧可能になるという効果が得られる。
【０１１５】
以上、実施形態を参照して本発明を説明したが、本発明は上記実施形態に限定されるものではない。本発明の構成や詳細には、本発明のスコープ内で当業者が理解しうる様々な変更をすることができる。
【産業上の利用可能性】
【０１１６】
本発明は、表示対象データのロック制御に関するものであり、携帯端末、ディスプレイ等の表示装置、プロジェクタ等の映写装置、或いは、プリンタ等の印刷装置に適用可能である。
【０１１７】
この出願は、２００８年４月１０日に出願された日本出願特願２００８−１０２０８１を基礎とする優先権を主張し、その開示の全てをここに取り込む。
【図１】
0005447370.tif 000002
【図２】
0005447370.tif 000003
【図３Ａ】
0005447370.tif 000004
【図３Ｂ】
0005447370.tif 000005
【図３Ｃ】
0005447370.tif 000006
【図４】
0005447370.tif 000007
【図５】
0005447370.tif 000008
【図６】
0005447370.tif 000009
【図７】
0005447370.tif 000010
【図８】
0005447370.tif 000011